(57)【要約】【課題】  無用なオーダーシートの印刷を防止し得る印刷装置を提供する。【解決手段】  オーダーシート７０には、記憶媒体内に格納された画像ファイルの内容をサムネイルで表示したサムネイル表示部７１と、各サムネイルの下部に配置された画像選択欄７２と、再印刷選択欄７３とが設けられている。画像選択欄７２をチェックすることにより、サムネイル表示部７１に対応した画像ファイルの印刷を選択し、再印刷選択欄７３をチェックをすることにより、オーダーシート７０の再印刷を選択する。【選択図】      図３
2006247946.tif 000002
【特許請求の範囲】
【請求項１】
画像を読み取るためのスキャナ部と、外部又は内部の記憶装置に記憶されている画像を媒体に印刷するためのプリンタ部とを備えた印刷装置であって、
前記プリンタ部は、オーダーシートに対して前記記憶装置に記憶されている画像の内容と印刷される画像を選択するための画像選択欄と同一のオーダーシートを再印刷するか否かを選択するための再印刷選択欄とを印刷するとともに、ユーザによって選択された前記画像選択欄及び前記再印刷選択欄の前記スキャナ部による読み取り結果に基づいて、選択された画像の印刷を行い、前記オーダーシートの再印刷が選択されたときは前記オーダーシートの印刷を行うことを特徴とする印刷装置。
【請求項２】
表示手段を有し、前記プリンタ部が前記オーダーシートの再印刷を行う前に、前記表示手段にオーダーシートの再印刷を行うか否かを表示することを特徴とする請求項１に記載の印刷装置。
【請求項３】
前記画像選択欄の選択は、印刷される画像の印刷条件を選択することによって行われることを特徴とする請求項１又は２に記載の印刷装置。
【請求項４】
画像を読み取るためのスキャナ部と、外部又は内部の記憶装置に記憶されている画像を媒体に印刷するためのプリンタ部とを備えたコンピュータが実行するオーダーシート印刷方法であって、
前記プリンタ部が、オーダーシートに対して前記記憶装置に記憶されている画像の内容と印刷される画像を選択するための画像選択欄と同一のオーダーシートを再印刷するか否かを選択するための再印刷選択欄とを印刷するステップと、
前記スキャナ部が、ユーザによって選択された前記画像選択欄及び前記再印刷選択欄の読み取りを行うステップと、
前記プリンタ部が、前記画像選択欄の読み取り結果に基づいて、選択された画像の印刷を行うステップと、
前記プリンタ部が、前記再印刷選択欄の読み取り結果に基づいて、前記オーダーシートの再印刷が選択されたときは、前記オーダーシートの印刷を行うステップと、
を含むオーダーシート印刷方法。
【請求項５】
請求項４に記載されたオーダーシート印刷方法の各ステップをコンピュータに実行させるためのプログラム。
【請求項６】
請求項５に記載されたプログラムを記録した記録媒体。
【請求項７】
画像を読み取るためのスキャナ部と、外部又は内部の記憶装置に記憶されている画像を媒体に印刷するためのプリンタ部とを備えた印刷装置であって、
前記プリンタ部は、オーダーシートに対して前記記憶装置に記憶されている画像の内容と各画像に対応して複数設けられた印刷される画像を選択するための画像選択欄とを印刷するとともに、ユーザによって選択された前記画像選択欄の前記スキャナ部による読み取り結果に基づいて、選択された画像の印刷を行うことを特徴とする印刷装置。
【発明の詳細な説明】
【技術分野】
【０００１】
本発明は、印刷装置、オーダーシート印刷方法、プログラム及び記録媒体に関するものである。
【背景技術】
【０００２】
近年、スキャナ装置を有するプリンタ（いわゆる複合機）には、ユーザがメモリーカードやＤＶＤ等の記録メディアに記録された画像を選択して印刷するときに、誰でも簡単に印刷することのできるユーザインタフェースが備えられている。例えば、特許文献１のように、ユーザが選択シート（以下、「オーダーシート」という。）の印刷を指令すると、サムネイル形式でインデックス印刷が行われる。ユーザは、このインデックス印刷により作成されたオーダーシートを用いて、印刷画像及び印刷条件等をオーダーシート上のマークを塗りつぶす。そして、そのオーダーシートをプリンタのスキャナ装置に読み取らせると、所望の画像を所望の印刷条件で印刷（以下、「オーダーシート印刷」という。）することができる。
【特許文献１】特開２００２−５１２８３号公報
【発明の開示】
【発明が解決しようとする課題】
【０００３】
ところで、記録メディアに記憶されている画像をインデックス印刷した場合、その画像枚数によってはオーダーシートが複数枚になることがある。このとき、例えば、それら複数枚のうち希望する画像が印刷されている１枚のみを用いてオーダーシート印刷を行うと、そのオーダーシートは使用済みとなり、そのオーダーシートに印刷された画像について再度オーダーシート印刷を行うには、すべてのオーダーシートを印刷しなければならない。すなわち、既に印刷されている未使用のオーダーシートまでもが再度印刷されることになる。従って、無用にオーダーシートが印刷されることにより、インクや印刷用紙が浪費するという問題があった。
【０００４】
本発明は、上記問題点を解決するためになされたものであって、その目的は、無用なオーダーシートの印刷を防止し得る印刷装置を提供することにある。
【課題を解決するための手段】
【０００５】
上記問題点を解決するために、本発明の印刷装置は、画像を読み取るためのスキャナ部と、外部又は内部の記憶装置に記憶されている画像を媒体に印刷するためのプリンタ部とを備えた印刷装置であって、前記プリンタ部は、オーダーシートに対して前記記憶装置に記憶されている画像の内容と印刷される画像を選択するための画像選択欄と同一のオーダーシートを再印刷するか否かを選択するための再印刷選択欄とを印刷するとともに、ユーザによって選択された前記画像選択欄及び前記再印刷選択欄の前記スキャナ部による読み取り結果に基づいて、選択された画像の印刷を行い、前記オーダーシートの再印刷が選択されたときは前記オーダーシートの印刷を行う。
【０００６】
この発明によれば、オーダーシートには、記憶装置に記憶されている画像の表示と印刷される画像を選択するための画像選択欄とに加えて、オーダーシートの再印刷選択欄が設けられる。そして、ユーザが再印刷選択欄をチェックし、スキャナ部がその再印刷選択欄を読み取ることによって、同一のオーダーシートを印刷することができる。従って、オーダーシートが複数枚で構成されていて、同じオーダーシートに印刷された画像について再度オーダーシート印刷を行う場合に、複数枚のオーダーシートのすべてを再度印刷し直す必要がなくなる。このため、無用なオーダーシートの印刷を防止してインクや用紙の浪費を抑えることができる。
【０００７】
本発明の印刷装置は、表示手段を有し、前記プリンタ部が前記オーダーシートの再印刷を行う前に、前記表示手段にオーダーシートの再印刷を行うか否かを表示する。
この発明によれば、プリンタ部がオーダーシートの再印刷を実行する前に、オーダーシートの再印刷を行うか否かを表示するので、ユーザがオーダーシートの再印刷を選択したか否かを再確認でき、無用なオーダーシートの印刷を防止することができる。
【０００８】
本発明の印刷装置は、前記画像選択欄の選択は、印刷する画像の印刷条件を選択することによって行われる。
この発明によれば、画像選択欄を印刷条件の選択欄と共用するので、印刷サイズや印刷枚数等の印刷条件を選択することによって、印刷される画像を選択することができる。
【０００９】
本発明のオーダーシート印刷方法は、画像を読み取るためのスキャナ部と、外部又は内部の記憶装置に記憶されている画像を媒体に印刷するためのプリンタ部とを備えたコンピュータが実行するオーダーシート印刷方法であって、前記プリンタ部が、オーダーシートに対して前記記憶装置に記憶されている画像の内容と印刷される画像を選択するための画像選択欄と同一のオーダーシートを再印刷するか否かを選択するための再印刷選択欄とを印刷するステップと、前記スキャナ部が、ユーザによって選択された前記画像選択欄及び前記再印刷選択欄の読み取りを行うステップと、前記プリンタ部が、前記画像選択欄の読み取り結果に基づいて、選択された画像の印刷を行うステップと、前記プリンタ部が、前記再印刷選択欄の読み取り結果に基づいて、前記オーダーシートの再印刷が選択されたときは、前記オーダーシートの印刷を行うステップと、を含む。
【００１０】
この発明によれば、オーダーシートには、オーダーシートの再印刷選択欄が設けられる。そして、ユーザが再印刷選択欄をチェックし、スキャナ部がその再印刷選択欄を読み取ることによって、同一のオーダーシートを印刷することができる。従って、オーダーシートが複数枚で構成されている場合に、一部のオーダーシート印刷のために複数枚のオーダーシートのすべてを再度印刷し直す必要がなくなるので、無用なオーダーシートの印刷を防止してインクや用紙の浪費を抑えることができる。
【００１１】
本発明のプログラムは、上述したオーダーシート印刷方法の各ステップをコンピュータに実行させる。この発明によれば、上述のオーダーシート印刷方法と同様の作用効果が得られる。
【００１２】
本発明の記録媒体は、前記プログラムを記録している。この発明によれば、上述のオーダーシート印刷方法と同様の作用効果が得られる。
本発明の印刷装置は、画像を読み取るためのスキャナ部と、外部又は内部の記憶装置に記憶されている画像を媒体に印刷するためのプリンタ部とを備えた印刷装置であって、前記プリンタ部は、オーダーシートに対して前記記憶装置に記憶されている画像の内容と各画像に対応して複数設けられた印刷される画像を選択するための画像選択欄とを印刷するとともに、ユーザによって選択された前記画像選択欄の前記スキャナ部による読み取り結果に基づいて、選択された画像の印刷を行う。
【００１３】
この発明によれば、記憶装置に記憶されている画像の表示に対して複数の画像選択欄を設けるので、１枚のオーダーシートで複数回のオーダーシート印刷を行うことができる。
【発明を実施するための最良の形態】
【００１４】
（第１実施形態）
以下、本発明を具体化した第１実施形態を図１〜図５に基づいて説明する。図１に、複合機１の概略構成を表すブロック図を示す。印刷装置としての複合機１は、装置全体の制御を行うコントロール部１０と、画像を媒体に印刷するためのプリンタ部２０と、画像を読み取るためのスキャナ部３０とを備えている。また、複合機１は、記憶装置としての記憶媒体４１（例えばメモリーカードやＤＶＤ）に対してデータの読み書きを実行するリーダライタ部４０と、ユーザが各種の指令を入力する操作部５０と、各種の指令に応じた文字や記号等を表示する表示手段としての表示部６０とを有している。
【００１５】
コントロール部１０は、マイクロプロセッサとして構成されており、ＣＰＵ１１と、処理プログラムを記憶したＲＯＭ１２と、一時的にデータを記憶するＲＡＭ１３とを備えている。このコントロール部１０は、バス１４を介してプリンタ部２０やスキャナ部３０、リーダライタ部４０、操作部５０、表示部６０と接続されている。
【００１６】
プリンタ部２０は、プリンタＡＳＩＣ２１とプリンタエンジン２２とを備えている。プリンタＡＳＩＣ２１は、プリンタエンジン２２を制御する機能を備えたカスタムＩＣチップである。プリンタＡＳＩＣ２１は、ＲＡＭ１３に設けられたバッファ内の印刷データをビットマップイメージに展開し、展開データを媒体Ｍ（印刷用紙）に印刷させるようにプリンタエンジン２２を制御する。プリンタエンジン２２は、インクカートリッジ２３と、インクカートリッジ２３を搭載し水平方向に移動するインクキャリッジ２４と、媒体Ｍに対してインクを吐出するインクジェットヘッド２５と、媒体Ｍを印字位置に移動するローラ２６とを備えている。インクカートリッジ２３は、複数色のインクを備えたカラー印刷用のカートリッジである。
【００１７】
スキャナ部３０は、スキャナＡＳＩＣ３１とスキャナエンジン３２とを備えている。スキャナＡＳＩＣ３１は、スキャナエンジン３２を制御する機能を備えたカスタムＩＣチップである。スキャナＡＳＩＣ３１は、スキャナエンジン３２で読み取られたスキャンデータを、コントロール部１０に出力し、コントロール部１０のＣＰＵ１１は、出力されたスキャンデータをＲＡＭ１３に設けられたバッファに格納する。スキャナエンジン３２は、媒体Ｍに表示された内容を光学的に読み取るラインイメージセンサ３３と、媒体Ｍを読み取り位置に移動するローラ３４とを備えている。
【００１８】
リーダライタ部４０は、記憶媒体４１を接続可能に構成され、記憶媒体４１に対してデータの読み書きを行う。記憶媒体４１には複数の画像ファイルが格納されている。
操作部５０は、図２に示すように、スキャナ部３０にオーダーシートを読み取らせるときに使用するオーダーシート受付ボタン５１と、オーダーシートを作成するときに使用するオーダーシート作成ボタン５２と、複合機１からの指令に返答するＹＥＳ／ＮＯボタン５３とを備えている。表示部６０は、各種の指令に応じた文字や記号等が表示されるディスプレイ６１を備えている。
【００１９】
図３に、オーダーシート７０の一例を示す。オーダーシート７０には、記憶媒体４１内に格納された画像ファイルの内容をサムネイルで表示したサムネイル表示部７１と、各サムネイルの下部に配置された画像選択欄７２と、再印刷選択欄７３とが設けられている。画像選択欄７２を筆記具等でチェックをすることにより、その画像選択欄７２の上部に配置されたサムネイル表示部７１に対応した画像ファイルの印刷を選択することができる。また、再印刷選択欄７３を筆記具等でチェックをすることにより、新規のオーダーシート７０の再印刷を選択することができる。
【００２０】
次に、複合機１の作用について説明する。図４に、メインルーチンのフローチャートを示す。コントロール部１０のＣＰＵ１１は、メインルーチンを所定タイミングごとに繰り返し行う。メインルーチンが開始されると、ＣＰＵ１１は、操作部５０のいずれかのボタンが操作されたか否かを判定する（ステップＳ１１０）。いずれのボタンも操作されていないときには、そのままこのルーチンを終了する。いずれかのボタンが操作されたときには、そのボタンがオーダーシート作成ボタン５２であるか否かを判定する（ステップＳ１２０）。そのボタンがオーダーシート作成ボタン５２であったときには、リーダライタ部４０で読み取った記憶媒体４１の全画像ファイルをサムネイル化する（ステップＳ１３０）。そして、サムネイル化された画像を用いてオーダーシートの印刷データを作成し（ステップＳ１４０）、その印刷データをプリンタＡＳＩＣ２１へ出力する（ステップＳ１５０）。プリンタＡＳＩＣ２１は、印刷データをビットマップデータに展開してプリンタエンジン２２を制御し、媒体Ｍにオーダーシート７０の印刷を開始する。ＣＰＵ１１は、プリンタＡＳＩＣ２１から印刷終了信号を受けたか否かを判定し（ステップＳ１６０）、印刷終了信号を受けていなければそのまま待機し、印刷終了信号を受けたときにメインルーチンを終了する。
【００２１】
ステップＳ１２０で操作されたボタンがオーダーシート作成ボタン５２でなかったときは、そのボタンがオーダーシート受付ボタン５１であるか否かを判定する（ステップＳ１７０）。そのボタンがオーダーシート受付ボタン５１であったときには、オーダーシート７０がスキャナ部３０のスキャナエンジン３２にセットされているか否かを判定する（ステップＳ１８０）。オーダーシート７０がスキャナエンジン３２にセットされていないときは、そのままメインルーチンを終了する。オーダーシート７０がセットされているときは、スキャナＡＳＩＣ３１へスキャン開始を指令する（ステップＳ１９０）。スキャナＡＳＩＣ３１は、スキャナエンジン３２を制御して、ラインイメージセンサ３３がオーダーシート７０の内容を読み取る。ＣＰＵ１１は、スキャナＡＳＩＣ３１からスキャン終了信号を受けたか否かを判定し（ステップＳ２００）、スキャン終了信号を受けていなければそのまま待機し、スキャン終了信号を受けたときには次のステップへ進む。そして、スキャンデータ中の画像選択欄７２に基づいて、ユーザが印刷を選択した画像ファイルを認識する。その画像ファイルをリーダライタ部４０に接続された記憶媒体４１から読み出して、印刷データを作成し、プリンタＡＳＩＣ２１へ出力する（ステップＳ２１０）。プリンタＡＳＩＣ２１は、印刷データをビットマップデータに展開してプリンタエンジン２２を制御し、媒体Ｍにユーザが選択した画像ファイルの印刷を開始する。ＣＰＵ１１は、プリンタＡＳＩＣ２１から印刷終了信号を受けたか否かを判定し（ステップＳ２２０）、印刷終了信号を受けていなければそのまま待機し、印刷終了信号を受けたときには次のステップへ進む。
【００２２】
次に、ＣＰＵ１１は、スキャンデータ中の再印刷選択欄７３にチェックがされているか否かを判定する（ステップＳ２３０）。再印刷選択欄７３にチェックがされていないときには、そのままこのルーチンを終了する。チェックがされているときは、表示部６０のディスプレイ６１に新規のオーダーシート７０の再印刷を行うか否かを表示する（ステップＳ２４０）。そして、ユーザがＹＥＳ／ＮＯボタン５３を操作するのを待機する（ステップ２５０）。ユーザがＮＯボタンを操作したときには、そのままこのルーチンを終了する。ユーザがＹＥＳボタンを操作したときには、ステップＳ１９０においてスキャンしたオーダーシート７０でユーザによるチェックがされる前の状態の印刷データを、プリンタＡＳＩＣ２１へ出力する（ステップＳ２６０）。プリンタＡＳＩＣ２１は、印刷データをビットマップデータに展開してプリンタエンジン２２を制御し、媒体Ｍにオーダーシート７０の印刷を開始する。ＣＰＵ１１は、プリンタＡＳＩＣ２１から印刷終了信号を受けたか否かを判定し（ステップＳ２７０）、印刷終了信号を受けていなければそのまま待機し、印刷終了信号を受けたときにメインルーチンを終了する。ステップＳ１７０で、操作されたボタンがオーダーシート受付ボタン５１でなかったときには、操作されたボタンに応じた処理（ステップＳ２８０）を実行し、メインルーチンを終了する。
【００２３】
次に、図５に示すような異なるフォーマットのオーダーシート８０を使用する場合について説明する。オーダーシート８０には、記憶媒体４１内に格納された画像ファイルの内容をサムネイルで表示したサムネイル表示部８１と、各サムネイルの下部に配置された画像サイズ選択欄８２と、再印刷選択欄８３とが設けられている。ユーザは、画像サイズ選択欄８２で画像の印刷サイズを選択できる。画像サイズ選択欄８２は、Ｌ版、２Ｌ版、Ａ５、Ａ４と記載された印刷サイズの右側に、チェック欄８２ａを有している。各印刷サイズに対応するチェック欄８２ａを筆記具等でチェックをすることにより、その画像サイズ選択欄８２の上部に配置されたサムネイル表示部８１に対応した画像ファイルを、選択した画像のサイズで印刷することができる。また、再印刷選択欄８３を筆記具等でチェックをすることにより、新規のオーダーシート８０の再印刷を選択することができる。
【００２４】
オーダーシート８０を使用する場合は、画像サイズ選択欄８２がオーダーシート７０の画像選択欄７２に相当することとなり、図４に示すフローチャートによって、オーダーシート印刷が制御される。
【００２５】
ところで、画像選択欄７２、画像サイズ選択欄８２、再印刷選択欄７３、８３のチェックを検出する方法としては、例えば、各選択欄７２、７３、８２、８３の位置をオーダーシート７０、８０のＸＹ座標としてあらかじめＲＯＭ１２に記憶しておき、チェックの有無を認識できるようにしておけば良い。また、各選択欄７２、７３、８２、８３に文字情報がある場合には、例えば、ＯＣＲ（光学的文字読取装置）により認識できるようにしておけば良い。
【００２６】
上記第１実施形態によれば、以下のような効果を得ることができる。
（１）第１実施形態では、オーダーシート７０には、記憶媒体４１に記憶されている画像の表示と印刷される画像を選択するための画像選択欄７２とに加えて、オーダーシート７０の再印刷選択欄７３が設けられる。そして、ユーザが再印刷選択欄７３をチェックし、スキャナ部３０がその再印刷選択欄７３を読み取ることによって、同一のオーダーシート７０を印刷することができる。従って、記憶媒体４１の画像ファイルに対してオーダーシート７０が複数枚で構成されていて、同じオーダーシート７０に印刷された画像について再度オーダーシート印刷を行う場合に、複数枚のオーダーシート７０のすべてを再度印刷し直す必要がなくなる。このため、無用なオーダーシート７０の印刷を防止してインクや印刷用紙の浪費を抑えることができる。
【００２７】
（２）第１実施形態では、プリンタ部２０がオーダーシート７０の再印刷を実行する前に、オーダーシート７０の再印刷を行うか否かを表示部６０のディスプレイ６１に表示する。従って、ユーザがオーダーシート７０の再印刷を選択したか否かを再確認でき、無用なオーダーシート７０の印刷を防止することができる。
【００２８】
（３）第１実施形態では、画像の印刷サイズを画像サイズ選択欄８２で選択できる。従って、画像サイズ選択欄８２のチェックにより、印刷する画像を選択したことになるので、画像サイズ選択欄８２と画像選択欄７２を併設する必要がなくなる。
【００２９】
（第２実施形態）
次に、本発明を具体化した第２実施形態を説明する。第２実施形態において、複合機１の構成（図１、図２）は第１実施形態と同じである。第１実施形態と同一構成については同一符号を付し、重複する説明を省略する。
【００３０】
図６に、第２実施形態に係るオーダーシート９０の一例を示す。オーダーシート９０には、記憶媒体４１内に格納された画像ファイルの内容をサムネイルで表示したサムネイル表示部９１と、各サムネイルの下部に６段で構成された画像選択欄９２とが設けられている。画像選択欄９２の左側には使用回数表示９３が記載されており、使用回数表示９３が１〜６であることから、このオーダーシート９０は６回分使用可能である。画像選択欄９２を筆記具等でチェックをすることにより、その画像選択欄９２の上部に位置するサムネイル表示部９１に対応した画像ファイルの印刷を選択することができる。
【００３１】
次に、第２実施形態に係る複合機１の作用について説明する。第２実施形態において、図４に示されたフローチャートのうち一部のステップ（ステップＳ２１０〜ステップＳ２７０）が第１実施形態と異なる。ステップＳ２００で、ＣＰＵ１１が、オーダーシート９０のスキャン終了信号を受けた後に、スキャンデータ中の画像選択欄９２に基づいて、このオーダーシートの使用回数を検出する。例えば、チェックがされているすべての画像選択欄９２のうち、最も数が大きい使用回数表示９３の段にあるものが、新しくチェックされたものであるとして、オーダーシート９０の使用回数を検出する。そして、その使用回数表示９３の段の画像選択欄９２に基づいて、ユーザが印刷を選択した画像ファイルを認識する。その画像ファイルを記憶媒体４１から読み出して、印刷データを作成し、プリンタＡＳＩＣ２１へ出力する。プリンタＡＳＩＣ２１は、印刷データをビットマップデータに展開してプリンタエンジン２２を制御し、媒体Ｍにユーザが選択した画像ファイルの印刷を開始する。その後、ステップＳ２２０に進み、ＣＰＵ１１は、プリンタＡＳＩＣ２１から印刷終了信号を受けたか否かを判定し、印刷終了信号を受けていなければそのまま待機し、印刷終了信号を受けたときは、ステップＳ２３０には進まずにメインルーチンを終了する。
【００３２】
上記第２実施形態によれば、以下のような効果を得ることができる。
（４）第２実施形態では、記憶媒体４１内に格納された画像ファイルのサムネイル表示部８１に対して複数の画像選択欄９２を設けている。従って、１枚のオーダーシート９０で複数回のオーダーシート印刷を行うことができる。
【００３３】
（５）第２実施形態では、１つのサムネイル表示部９１に対して複数の画像選択欄９２を設けることにより、１枚のオーダーシート９０を複数回使用することができる。従って、インクや用紙の浪費を抑えることができる。
【００３４】
なお、上記実施形態は以下のように変更してもよい。
○第１実施形態では、画像の印刷の後にオーダーシート７０、８０の再印刷を行うか否かが制御されるが、画像の印刷の前にオーダーシート７０、８０の再印刷を行うか否かの制御を行っても良い。
【００３５】
○第１実施形態では、ステップＳ２４０でディスプレイ６１にオーダーシート７０、８０の再印刷を行うか否かの表示を行っているが、この表示は行わなくても良い。
○第１実施形態では、オーダーシート８０の画像サイズ選択欄８２に４種類の印刷サイズが設定されているが、２、３又は５以上の種類の印刷サイズを設定しても良い。
【００３６】
○第１実施形態では、再印刷選択欄７３、８３をチェックすることによりオーダーシート７０、８０の再印刷を行うようにしたが、再印刷選択欄７３、８３に印刷枚数を記入する、もしくは複数のチェックをすることにより、複数枚のオーダーシート７０、８０を再印刷するようにしても良い。
【００３７】
○第１及び第２実施形態では、画像選択欄７２、９２又は画像サイズ選択欄８２をチェックすることにより画像の印刷を行うようにしたが、画像選択欄７２、９２又は画像サイズ選択欄８２に印刷枚数を記入する、もしくは複数のチェックをすることにより、複数枚の画像を印刷するようにしても良い。
【００３８】
○第１及び第２実施形態では、リーダライタ部４０に接続されている外部の記憶媒体４１に記憶されている画像ファイルを用いたが、内部の記憶装置に記憶されている画像ファイルを用いても良い。
【００３９】
○第１及び第２実施形態では、複合機１内に設けられたコントロール部１０のＣＰＵ１１によりオーダーシート印刷を制御しているが、複合機１の外部のコンピュータにより制御しても良い。
【００４０】
○第１及び第２実施形態では、オーダーシート７０、８０のサムネイル表示部７１、８１を６枚分設け、オーダーシート９０のサムネイル表示部９１を４枚分設けたが、サムネイル表示部７１、８１、９１の表示枚数は任意に設定して良い。
【００４１】
○第１及び第２実施形態では、オーダーシート７０、８０、９０のサムネイル表示部７１、８１、９１の下部に画像選択欄７２、９２又は画像サイズ選択欄８２を設けているが、上部に設けても左右側に設けても良く、数箇所にまとめて画像選択欄７２、９２又は画像サイズ選択欄８２を設けても良い。
【００４２】
○第１及び第２実施形態では、オーダーシート７０、８０、９０によって画像の印刷の指定を行っているが、画像の消去、複写及び移動についても同様の制御で処理しても良い。
【００４３】
○第１及び第２実施形態では、画像選択欄７２、９２、画像サイズ選択欄８２、再印刷選択欄７３、８３を筆記具等でチェックすることにより選択を行っているが、穴を開けて選択を行っても良い。
【００４４】
○第２実施形態では、画像選択欄９２をチェックすることにより画像の印刷を行うようにしたが、画像の印刷サイズを選択することにより印刷する画像の選択を行うようにしても良い。
【００４５】
○第２実施形態では、オーダーシート８０の使用回数を６回としたが、２〜５回、７回以上としても良い。
【図面の簡単な説明】
【００４６】
【図１】複合機１の概略構成ブロック図。
【図２】複合機１の操作部５０と表示部６０の概略図。
【図３】オーダーシート７０の説明図。
【図４】オーダーシート印刷のフローチャート。
【図５】オーダーシート８０の説明図。
【図６】オーダーシート９０の説明図。
【符号の説明】
【００４７】
１…複合機、１０…コントロール部、１１…ＣＰＵ、１２…ＲＯＭ、１３…ＲＡＭ、２０…プリンタ部、２１…プリンタＡＳＩＣ、２２…プリンタエンジン、３０…スキャナ部、３１…スキャナＡＳＩＣ、３２…スキャナエンジン、４０…リーダライタ部、４１…記憶媒体、５０…操作部、６０…表示部、７０，８０，９０…オーダーシート、７１，８１，９１…サムネイル表示部、７２，９２…画像選択欄、７３、８３…再印刷選択欄、８２…画像サイズ選択欄。
【図１】
2006247946.tif 000003
【図２】
2006247946.tif 000004
【図３】
2006247946.tif 000005
【図４】
2006247946.tif 000006
【図５】
2006247946.tif 000007
【図６】
2006247946.tif 000008